(57)【要約】【課題】本発明は、カムフォロアをレンズ保持枠から外すことなく、カムフォロアをレンズ保持枠に接着剤で固着できるレンズ鏡筒およびレンズユニットの提供を目的とする。【解決手段】レンズ鏡筒は、レンズ保持枠４３とカムフォロア５を備えている。レンズ保持枠４３は、カムフォロア５と接着剤９により接着される接着部４０ｃを備えている。カムフォロア５は、レンズ保持枠４３に組み付けられてカム溝３３内に配設された状態で、カム筒３ｂの外部と接着部４０ｃとが連通するように開けられた接着剤充填用孔５１を備えている。【選択図】図３
2013068710.tif 000002
【特許請求の範囲】
【請求項１】
カム筒の内側に配設され移動レンズ群を保持するレンズ保持枠と、前記レンズ保持枠の外周側に組み付けられるとともに、前記カム筒に設けられたカム溝内に摺動可能に配設されるカムフォロアとを備えたレンズ鏡筒であって、
前記レンズ保持枠は、前記カムフォロアと接着剤により接着される接着部を備え、
前記カムフォロアは、当該カムフォロアが前記レンズ保持枠に組み付けられて前記カム溝内に配設された状態で、前記カム筒の外部と前記接着部とが連通するように開けられた接着剤充填用孔を備えていることを特徴とするレンズ鏡筒。
【請求項２】
前記接着部は、当該接着部と前記カムフォロアの端面との間に接着剤充填用空間部が形成されるように構成されていることを特徴とする請求項１記載のレンズ鏡筒。
【請求項３】
前記接着剤充填用孔は、前記接着部に充填した接着剤を密閉するためのボルト部材に設けられた外ネジ部と螺合する内ネジ部を備えていることを特徴とする請求項１又は２記載のレンズ鏡筒。
【請求項４】
前記接着剤充填用孔は、前記接着部に充填した接着剤を密閉するための軸状部材の外周と嵌合する嵌合部を備えていることを特徴とする請求項１又は２記載のレンズ鏡筒。
【請求項５】
請求項１〜４の何れか一項に記載のレンズ鏡筒と、前記レンズ鏡筒内に保持された１又は複数のレンズとを備えていることを特徴とするレンズユニット。
【発明の詳細な説明】
【技術分野】
【０００１】
本発明は、プロジェクタやカメラ等に用いられるレンズ鏡筒およびレンズユニットに関するものである。
【背景技術】
【０００２】
従来から、カム筒の内側に配設され移動レンズ群を保持するレンズ保持枠と、前記レンズ保持枠の外周側に組み付けられるとともに、前記カム筒に設けられたカム溝内に摺動可能に配設されるカムフォロアとを備えたレンズ鏡筒は、従来から知られており、例えば特許文献１に開示されたものがある。
【０００３】
このようなレンズ鏡筒においては、カムフォロアをレンズ保持枠の外周に組み付けた後、外れないようにカムフォロアをレンズ保持枠に接着剤により固定する場合が多い。
【先行技術文献】
【特許文献】
【０００４】
【特許文献１】特開２０００−１３１５８８号公報
【発明の概要】
【発明が解決しようとする課題】
【０００５】
ところで、上記のようなレンズ鏡筒においては、カムフォロアが摺動するカム筒のカム溝とカムフォロアの径との加工精度により、組み付け後に、引っ掛かりやスティックスリップ等が生じる場合があり、そのような場合には、カム溝に適合したカムフォロアを再選定する場合がある。又、想定外の適合性不良が起こった場合には、カムフォロアをレンズ保持枠から外して、レンズ群をばらして再調整する場合もある。
【０００６】
従って、カムフォロアをレンズ保持枠に接着剤により固着するのは、カム溝とカムフォロアとの互いの適合性確認後の最終工程が望ましい。しかし、適合性確認後に毎回カムフォロアをレンズ保持枠から外して、カムフォロアの先端に接着剤を塗布して再組み付けを行うとなると、組立工数の増大を招く。そのため、上記のような不具合が起こったときのみ、接着剤の接着力に抗して無理やりカムフォロアをレンズ保持枠から外すという方法も採られている場合も多い。
【０００７】
しかしながら、強固に接着したカムフォロアをレンズ保持枠から安定して取り外すことは難しく、頻繁にカムフォロアをレンズ保持枠から外して調整を行う必要があるレンズユニットには適さない。例えば、近年のレンズユニットの高解像力化に伴い、部品加工誤差、組立誤差による各レンズの結像性能に対する誤差が大きくなっているため、想定外の適合性不良が起こる確率が増加しており、カムフォロアをレンズ保持枠から外して、レンズ群をばらして再調整する必要性も増えてきている。
【０００８】
本発明は、カムフォロアをレンズ保持枠から外すことなく、カムフォロアをレンズ保持枠に接着剤で固着できるレンズ鏡筒およびレンズユニットの提供を目的とする。
【課題を解決するための手段】
【０００９】
上記課題を解決するため、本発明は、カム筒の内側に配設され移動レンズ群を保持するレンズ保持枠と、前記レンズ保持枠の外周側に組み付けられるとともに、前記カム筒に設けられたカム溝内に摺動可能に配設されるカムフォロアとを備えたレンズ鏡筒であって、前記レンズ保持枠は、前記カムフォロアと接着剤により接着される接着部を備え、前記カムフォロアは、当該カムフォロアが前記レンズ保持枠に組み付けられて前記カム溝内に配設された状態で、前記カム筒の外部と前記接着部とが連通するように開けられた接着剤充填用孔を備えていることを特徴とするレンズ鏡筒を提供する。
【００１０】
この構成によれば、例えばカムフォロアがレンズ保持枠に組み付けられてカム溝内に配設された状態で、カム溝とカムフォロアとの互いの適合性を最終的に確認した後に、その状態のままで、接着剤充填用孔からレンズ保持枠の接着部に接着剤を充填できる。これにより、カムフォロアをレンズ保持枠から外すことなく、両者を固着できる。従って、従来のようにカム溝とカムフォロアとの互いの適合性を最終的に確認した後に、接着剤を充填するためにカムフォロアをレンズ保持枠から一旦、外すようなことをせずに済ませることができ、組み立て工程を簡素化できる。
【００１１】
他の一態様によれば、前記レンズ鏡筒において、前記接着部は、当該接着部と前記カムフォロアの端面との間に接着剤充填用空間部が形成されるように構成されていることを特徴とする。
【００１２】
この構成によれば、接着剤充填用空間部に接着剤が充填されることにより、その充填された接着剤によってカムフォロアとレンズ保持枠とを、より強固に固着できる。
【００１３】
他の一態様によれば、前記レンズ鏡筒において、前記接着剤充填用孔は、前記接着部に充填した接着剤を密閉するためのボルト部材に設けられた外ネジ部と螺合する内ネジ部を備えていることを特徴とする。
【００１４】
この構成によれば、接着剤充填用孔の内ネジ部にボルト部材の外ネジ部を螺合すれば、接着剤を充填した後の接着剤充填用空間部を密封でき、嫌気性接着剤を用いることも可能になる。
【００１５】
他の一態様によれば、前記レンズ鏡筒において、前記接着剤充填用孔は、前記接着部に充填した接着剤を密閉するための軸状部材の外周と嵌合する嵌合部を備えていることを特徴とする。
【００１６】
この構成によれば、嵌合部に軸状部材の外周を嵌合すれば、接着剤を充填した後の接着剤充填用空間部を密封でき、嫌気性接着剤を用いることも可能になる。
【００１７】
又、本発明は、上述の何れかのレンズ鏡筒と、前記レンズ鏡筒内に保持された１又は複数のレンズとを備えていることを特徴とするレンズユニットを提供する。
【００１８】
この構成によれば、例えばカム溝とカムフォロアとの互いの適合性を最終的に確認した後に、カムフォロアがレンズ保持枠に組み付けられてカム溝内に配設された上記の最終的に確認した状態で、接着剤充填用孔からレンズ保持枠の接着部に接着剤を充填できる。これにより、カムフォロアをレンズ保持枠から外すことなく、両者を固着できる。従って、従来のようにカム溝とカムフォロアとの互いの適合性を最終的に確認した後に、接着剤を充填するためにカムフォロアをレンズ保持枠から一旦、外すようなことをせずに済ませることができ、組み立て工程を簡素化できる。
【発明の効果】
【００１９】
本発明は、カムフォロアをレンズ保持枠から外すことなく、カムフォロアをレンズ保持枠に接着剤で固着できるレンズ鏡筒およびレンズユニットを提供することができる。
【図面の簡単な説明】
【００２０】
【図１】本発明の一実施形態のレンズ鏡筒を備えたレンズユニットの断面図である。
【図２】図１のレンズユニットにおけるカムフォロアが付設された第１〜第５レンズ保持枠と固定筒とカム筒との分解斜視図である。
【図３】（ａ）は、カムフォロアが組み付けられた状態の第３レンズ保持枠と固定筒とカム筒との要部拡大断面図、（ｂ）は、（ａ）の状態から、接着剤充填用空間部に接着剤充填用孔から接着剤が充填された状態の要部拡大断面図である。
【図４】他の実施形態のカムフォロアが組み付けられ接着剤充填用空間部に接着剤充填用孔から接着剤が充填された状態の第３レンズ保持枠と固定筒とカム筒との要部拡大断面図である。
【図５】他の実施形態のカムフォロアが組み付けられ接着剤充填用空間部に接着剤充填用孔から接着剤が充填された状態の第３レンズ保持枠と固定筒とカム筒との要部拡大断面図である。
【発明を実施するための形態】
【００２１】
以下、本発明の実施の形態について、図面を参照しながら詳細に説明する。図１は、本発明の一実施の形態のレンズ鏡筒を備えたレンズユニットの断面図、図２は、図１のレンズ鏡筒を備えたレンズユニットにおけるカムフォロアが付設された第１〜第５レンズ保持枠と固定筒とカム筒との分解斜視図、図３（ａ）は、カムフォロアが組み付けられた状態の第３レンズ保持枠と固定筒とカム筒との要部拡大断面図、図３（ｂ）は、（ａ）の状態から、接着剤充填用空間部に接着剤充填用孔から接着剤が充填された状態の要部拡大断面図である。は、図１のレンズユニットにおけるカムフォロアが付設された第３レンズ保持枠と固定筒とカム筒との要部拡大断面図である。尚、図のＸ方向を前方側とし、Ｙ方向を後方側として説明する。
【００２２】
この実施形態のレンズユニット１は、撮像用のものとされており、図１に示すように、レンズ鏡筒１０と、レンズ群４ａ〜４ｇとを備えている。レンズ群は、フォーカス機構部として機能する移動レンズ群である第１レンズ群４ａ及び第２レンズ群４ｂと、ズーム機構部として機能する移動レンズ群である第３レンズ群４ｃ、第４レンズ群４ｄ及び第５レンズ群４ｅと、固定レンズ群である第６レンズ群４ｆ及び第７レンズ群４ｇとを備えている。尚、これらのレンズ群は、夫々、１又は複数のレンズにより構成される。
【００２３】
レンズ鏡筒１０は、図１、図２に示すように円筒状の固定筒２と、円筒状のカム筒３ａ、３ｂと、上記第１レンズ群４ａ〜第７レンズ群４ｇを保持した円筒状の第１レンズ保持枠４１〜第７レンズ保持枠４７と、第１レンズ保持枠４１〜第５レンズ保持枠４５に付設された複数のカムフォロア５とを備えている。
【００２４】
固定筒２は、図２に示すように前部側の周面に、内周面から外周面に貫通するようにして、軸方向（光軸方向）の前後方向に延ばされた第１ガイド溝２１ａと、後部側の周面に、内周面から外周面に貫通するようにして、軸方向（光軸方向）の前後方向に延ばされた第２ガイド溝２１ｂとを備えている。
【００２５】
第１ガイド溝２１ａは、第１レンズ群４ａ及び第２レンズ群４ｂと係合して光軸方向にガイドし、第２ガイド溝２１ｂは、第３レンズ群４ｃ〜第５レンズ群４ｅと係合して光軸方向にガイドする。
【００２６】
第２ガイド溝２１ｂは、周方向に、等間隔に配設された３対のものから構成されている。第１ガイド溝２１ａも、第２ガイド溝２１ｂと略同構成を採っており、図示しないが、周方向に、等間隔に配設された３対のものから構成されている。又、第１ガイド溝２１ａと第２ガイド溝２１ｂは、全て同じ幅に形成されている。
【００２７】
カム筒は、この実施形態では、第１レンズ群４ａ及び第２レンズ群４ｂと係合した第１カム筒３ａと、第３レンズ群４ｃ〜第５レンズ群４ｅと係合した第２カム筒３ａとの２つから構成されている。
【００２８】
第１カム筒３ａは、図２に示すように、周面に、内周面から外周面に貫通するようにして、軸方向及び周方向に対して斜め方向に延ばされて軸方向及び周方向に所定の角度を持つように形成されたカム溝と、固定筒２と係合するための第１カム筒用係合溝３０ａとを備えている。
【００２９】
この実施形態のカム溝は、第１カム溝３１と、第１カム溝３１の後方側に配設された第２カム溝３２との２種類のものから構成されている。
【００３０】
これらの第１カム溝３１及び第２カム溝３２は、夫々、周方向に等間隔に配設された３対のものから構成されている。
【００３１】
第１カム筒用係合溝３０ａは、第２カム溝３２の後方側に、内周面から外周面に貫通するようにして周方向に沿って形成されている。
【００３２】
上記のように構成された第１カム筒３ａは、図１に示すように固定筒２の前部側の外周に、固定筒２の軸心回りに回転自在に嵌合されるとともに、第１カム筒用係合溝３０ａ（図２参照）に、固定筒２に設けられた係合突片（図示せず）が入れられて摺動可能に係合する。これにより、第１カム筒３ａが固定筒２に軸方向に移動不能且つ回転可能に保持されている。
【００３３】
第２カム筒３ｂは、図２に示すように、上記第２カム筒３ｂと同様に、周面に、内周面から外周面に貫通するようにして、軸方向及び周方向に対して斜め方向に延ばされて軸方向及び周方向に所定の角度を持つように形成されたカム溝と、固定筒２と係合するための第２カム筒用係合溝３０ｂとを備えている。
【００３４】
この第２カム筒３ｂのカム溝は、最前方側に配設された第３カム溝３３と、第３カム溝３３の後方側に配設された第４カム溝３４と、第４カム溝３４の後方側に配設された第５カム溝３５との３種類のものから構成されている。
【００３５】
これらの第３カム溝３３〜第５カム溝３５も、夫々、周方向に等間隔に配設された３対のものから構成されている。尚、第１カム溝３１〜第５カム溝３５は、全て同じ幅に形成されている。又、これらの第１カム溝３１〜第５カム溝３５は、上記第１ガイド溝２１ａ及び第２ガイド溝２１ｂと同幅に形成されている。
【００３６】
第２カム筒用係合溝３０ｂは、第５カム溝３５の後方側に、内周面から外周面に貫通するようにして周方向に沿って形成されている。
【００３７】
そして、このように構成された第２カム筒３ｂは、図１に示すように固定筒２の前部側の外周に、固定筒２の軸心回りに回転自在に嵌合されるとともに、第２カム筒用係合溝３０ｂ（図２参照）に、固定筒２に設けられた係合突片（図示せず）が入れられて摺動可能に係合する。これにより、第２カム筒３ｂが固定筒２に軸方向に移動不能且つ回転可能に保持されている。
【００３８】
第１レンズ保持枠４１は、図１、図２に示すように、内周側に第１レンズ群４ａを移動不能に保持し、固定筒２の径内側であって第１カム筒３ａの径内側に移動可能に配設されている。
【００３９】
第２レンズ保持枠４２は、内周側に第２レンズ群４ｂを移動不能に保持し、固定筒２の径内側であって第１カム筒３ａの径内側における第１レンズ保持枠４１の後方側に移動可能に配設されている。
【００４０】
第３レンズ保持枠４３は、内周側に第３レンズ群４ｃを移動不能に保持し、固定筒２の径内側であって第２カム筒３ｂの径内側に移動可能に配設されている。
【００４１】
第４レンズ保持枠４４は、内周側に第４レンズ群４ｄを移動不能に保持し、固定筒２の径内側であって第２カム筒３ｂの径内側における第３レンズ保持枠４３の後方側に移動可能に配設されている。
【００４２】
第５レンズ保持枠４５は、内周側に第５レンズ群４ｅを移動不能に保持し、固定筒２の径内側であって第２カム筒３ｂの径内側における第４レンズ保持枠４４の後方側に移動可能に配設されている。
【００４３】
又、上記第１レンズ保持枠４１〜第５レンズ保持枠４５は、夫々、図２に示すように、その外周に、カムフォロア５を取り付けるカムフォロア取付部４０を３つ、備えている。これらのカムフォロア取付部４０は、第１レンズ保持枠４１〜第５レンズ保持枠４５夫々の周方向に沿って等間隔になるように配設されている。
【００４４】
これらのカムフォロア取付部４０は、全て同構成を採っており、以下に、第３レンズ保持枠４３のものについて説明する。このカムフォロア取付部４０は、図３に示すように、カムフォロア５を受容する受容凹部４０ａと、カムフォロア５と螺合する取付用内ネジ部４０ｂと、取付用内ネジ部４０ｂの奥部に形成されカムフォロア５と接着剤により接着される接着部４０ｃとを備えている。
【００４５】
受容凹部４０ａは、カムフォロア５を受容可能な円形状に、第３レンズ保持枠４３の外周から所定の深さで形成されている。
【００４６】
接着部４０ｃは、この実施形態では、カムフォロア５の端面が接着部４０ｃに非接触になるように、取付用内ネジ部４０ｂから奥（径内側）に行くに従い漸次径が小さくなるように形成され、この接着部４０ｃとカムフォロア５の端面とで接着剤充填用空間部８を区画形成している。
【００４７】
図１に戻り、第６レンズ保持枠４６は、内周側に第６レンズ群４ｆを移動不能に保持し、固定筒２の前方側に移動不能に配設されている。
【００４８】
第７レンズ保持枠４７は、内周側に第７レンズ群４ｇを移動不能に保持し、固定筒２の
後方側に移動不能に配設されている。以上のように、この実施形態では、物体側から像側へ順に第６レンズ群４ｆ、第１レンズ群４ａ、第２レンズ群４ｂ、第３レンズ群４ｃ、第４レンズ群４ｄ、第５レンズ群４ｅ、第７レンズ群４ｇが配置されている。
【００４９】
次に、カムフォロア５について説明する。カムフォロア５は、この実施形態では、上述のように第１レンズ保持枠４１〜第５レンズ保持枠４５の夫々に３個ずつ付設されており、合計２７個から構成されている。
【００５０】
これらのカムフォロア５は、全て同一構成を採っている。以下に、第３レンズ保持枠４３に付設されたものについて説明する。
【００５１】
カムフォロア５は、図２、図３に示すように、円筒体から構成されている。カムフォロア５は、その外周の先端に配設されたカム溝係合部５１と、外周の基端に配設された外ネジ部（雄ネジ部）５３と、外周におけるカム溝係合部５１と外ネジ部５２との間に配設されたガイド溝係合部５２とを備えている。
【００５２】
外ネジ部５３は、カム溝係合部５１およびガイド溝係合部５２よりも径小に形成された径小部の外周に形成されている。尚、カム溝係合部５１とガイド溝係合部５２とは、同じ径である。
【００５３】
カム溝係合部５１は、その外径が第２カム筒３ｂの第３カム溝３３の溝幅と同程度に設定され、第２カム筒３ｂの第３カム溝３３に嵌り込んで摺動可能に係合する。ガイド溝係合部５２は、その外径が固定筒２の第２ガイド溝２１ｂの溝幅と同程度に設定され、固定筒２の第２ガイド溝２１ｂに嵌り込んで摺動可能に係合する。また、外ネジ部５３は、上記第３レンズ保持枠４３の取付用内ネジ部４０ｂに螺合する。
【００５４】
又、カムフォロア５は、その内部に、基端から先端に貫通するように軸方向に開けられた接着剤充填用孔５４を備えている。
【００５５】
次に、このカムフォロア５の組み立て方法について説明する。例えば図３（ａ）に示すようにカムフォロア５の外ネジ部５３を、第２カム筒３ｂの第３カム溝３３から固定筒２の第２ガイド溝２１ｂに通して、予め固定筒２の内側に配設した第３レンズ保持枠４３の取付用内ネジ部４０ｂに螺合させる。
【００５６】
この状態で、カムフォロア５の基端の端面と空間形成用凹部４０ｂとで、その間に接着剤充填用空間部８が区画形成される。
【００５７】
また、この状態で、第３レンズ保持枠４３に組み付けられたカムフォロア５のカム溝係合部５１が第３カム溝３３と係合し、ガイド溝係合部５２が第２ガイド溝２１ｂに係合した状態になる。
【００５８】
そして、カム溝係合部５１と第２カム溝３２との適合性を確認する。この実施形態では、以下のようにして確認を行っている。カム溝係合部５１の径が異なる４種類（５．００ｍｍ、５．０１ｍｍ、５．０２ｍｍ、５．０３ｍｍ）のものを予め準備しておく。そして、その内の１つを上記のように第３レンズ保持枠４３に組み付けた後、両者に引っ掛かり、或いは、スティックスリップ等が生じたか否かにより適合性の良否を判定し、良好でないと判定された場合には、第３カム溝３３に上記準備した他のものに交換する。
【００５９】
その際、カムフォロア５は、外ネジ部５３が第３レンズ保持枠４３の取付用内ネジ部４０ｂに螺合されているだけのため、容易に交換できる。
【００６０】
適合性が良いと判定された場合は、図３（ｂ）に示すように接着剤充填用孔５４から接着剤を接着剤充填用空間部８に充填する。使用できる接着剤は、特に限定されないが、例えばエポキシ樹脂系のものを例示できる。
【００６１】
これにより、カムフォロア５を第３レンズ保持枠４３に強固に固定できる。従って、従来のように、適合性が良好であることを確認できた後に、カムフォロア５を第３レンズ保持枠４３から一旦外して接着剤を取付用内ネジ部４０ｂに入れてカムフォロア５を再度螺合させて接着させるようなことを行わずに済み、組み付け工程を容易なものにできる。
【００６２】
同様にして、第１レンズ保持枠４１、第２レンズ保持枠４２、第３レンズ保持枠４１及び第５レンズ保持枠４５の夫々に、カム溝に適合するカムフォロア５が組み付けられて接着剤により固着される。
【００６３】
以上のようにして第１レンズ保持枠４１〜第５レンズ保持枠４５が組み付けられたレンズユニット１は、例えば第１カム筒３ａの外周側に、第１カム筒３ａに回転不能且つ固定筒２に回転可能に配設された第１カム筒用操作環６ａが回転操作されることにより、第１カム筒３ａが回転する。
【００６４】
そして、その回転に伴って、第１レンズ保持枠４１に付設されたカムフォロア５が固定筒２の第１ガイド溝２１ａ及び第１カム筒３ａの第１カム溝３１を摺動し、これにより、第１レンズ保持枠４１が光軸方向に移動する。また、第２レンズ保持枠４２に付設されたカムフォロア５が固定筒２の第２ガイド溝２１ｂ及び第１カム筒３ａの第２カム溝３２を摺動し、これにより、第２レンズ保持枠４２が光軸方向に移動する。
【００６５】
又、第２カム筒３ｂの外周側に、第２カム筒３ｂに回転不能且つ固定筒２に回転可能に配設された第２カム筒用操作環６ｂが回転操作されることにより、第２カム筒３ｂが回転する。
【００６６】
そして、その回転に伴って、第３レンズ保持枠４３に付設されたカムフォロア５が固定筒２の第２ガイド溝２１ｂ及び第２カム筒３ｂの第３カム溝３３を摺動し、これにより、第３レンズ保持枠４３が光軸方向に移動する。
【００６７】
又、第４レンズ保持枠４４に付設されたカムフォロア５が固定筒２の第２ガイド溝２１ｂ及び第２カム筒３ｂの第４カム溝３４を摺動し、これにより、第４レンズ保持枠４４が光軸方向に移動する。
【００６８】
さらに、又、第５レンズ保持枠４５に付設されたカムフォロア５が固定筒２の第２ガイド溝２１ｂ及び第２カム筒３ｂの第５カム溝３５を摺動し、これにより、第５レンズ保持枠４５が光軸方向に移動する。尚、第１カム筒用操作環６ａおよび第２カム筒用操作環６ｂは、手動で操作されるものでもよく、又、モータ等の駆動部材により駆動操作される形態のものでもよい。
【００６９】
尚、上記実施形態では、カムフォロア５の接着剤充填用孔５４は、接着剤充填用空間部８に接着剤を充填した状態でそのまま放置するように構成されたが、この形態のものに限らず、適宜変更できる。例えば接着剤充填用孔５４に、密閉部材用係止部が設けられ、接着剤充填用空間部８を密閉するための密閉部材をその密閉部材用係止部に係止できるようにしてもよい。
【００７０】
詳しくは、例えば図４に示すように、カムフォロア１０５の接着剤充填用孔１５４における接着剤充填用空間部８の近傍に、密閉部材用係止部としての内ネジ部１５４ａが設けられる。そして、この内ネジ部１５４ａに、接着剤充填用空間部８に接着剤１０９を充填した後、密閉部材としてのボルト部材１５５の外周に設けた外ネジ部（雄ネジ部）１５５ａを螺合して接着剤１０９（接着剤充填用空間部８）を密閉する。
【００７１】
このようにすれば、接着剤として嫌気性接着剤１０９を使用することも可能になり、より強固に接着できる。嫌気性接着剤１０９としては、例えばねじ緩み止め用嫌気性接着剤（ロックタイト社製）、３Ｍ（登録商標）スコッチ・ウェルド（登録商標）ねじ緩み止め用嫌気性接着剤（３Ｍ社製）などを例示できる。
【００７２】
又、例えば図５に示すように、カムフォロア２０５の接着剤充填用孔２５４における接着剤充填用空間部８の近傍に、密閉部材用係止部としての嵌合部２５４ａが設けられる。そして、この嵌合部２５４ａに、接着剤充填用空間部８に接着剤２０９を充填した後、密閉部材としての軸部２５５の外周を嵌合して接着剤２０９（接着剤充填用空間部８）を密閉する。この場合も、接着剤として上記嫌気性接着剤２０９を使用することも可能になる。
【００７３】
尚、上記実施形態では、接着剤充填用孔を備えてカムフォロアを、第１レンズ保持枠４１〜第５レンズ保持枠４５の全部に付設させたが、この形態のものに限らず、例えば第１レンズ保持枠４１〜第５レンズ保持枠４５の内の少なくとも１つのレンズ保持枠における複数のカムフォロアの少なくとも１つに、接着剤充填用孔を備えてカムフォロアを付設させるようにしてもよい。
【００７４】
又、上記実施形態では、接着部とカムフォロアの端面との間に接着剤充填用空間部が形成されているが、この形態のものに限らず、接着剤充填用空間部を形成しないものでもよく、適宜変更できる。
【００７５】
又、上記実施形態では、撮像用のレンズユニットに実施されているが、例えば投射用のレンズユニットとして実施することもでき、適宜変更できる。
【符号の説明】
【００７６】
１    レンズユニット
１０    レンズ鏡筒
２    固定筒
３ａ    第１カム筒
３ｂ    第２カム筒
５    カムフォロア
８    接着剤充填用空間部
５４    接着剤充填用孔
【図１】
2013068710.tif 000003
【図２】
2013068710.tif 000004
【図３】
2013068710.tif 000005
【図４】
2013068710.tif 000006
【図５】
2013068710.tif 000007